(57)【要約】  【課題】ブラケット類が確実に誤組防止機能を有して装着機器取付け腕木類に装着でき、しかも、かかる誤組防止構造を施したとしても、ステアリングハンガー本体周りに設置される種々の装着部品・機器の邪魔にならず、自動車の設計後期などにおいて簡単な設計変更などにより簡単に採用可能に構成すべくなした。  【解決手段】ブラケット類としてブレーキペダル後退防止ブラケット１１の両側端部のうち一方の側端部に切欠き部１６を形成し、切欠き部１６に相対するように一対の取付け腕木類を構成するサイドブラケット２及びインストステイブラケット６のうち一方のサイドブラケット２にナット或いはボルトなどからなる突起部１７を植設して、突起部１７を切欠き部１６に挿入するようにして、ブレーキペダル後退防止ブラケット１１の誤組防止構造を構成した。【選択図】図２
2016188012.tif 000002
【特許請求の範囲】
【請求項１】
ステアリングハンガー本体の車幅方向両外側端にそれぞれ取付けられて前記ステアリングハンガー本体を車幅方向に延在するように車体に配設する一対のサイドブラケット、前記ステアリングハンガー本体における前記両サイドブラケットを挟む中間部において設置するステアリングコラムブラケット、ポストブラケット、或いはインストルメントステイなどが構成する装着機器取付け腕木類を有し、且つ、該装着機器取付け腕木類のうち、前記ステアリングハンガー本体に互いに離間対向するように取付けられた一対の装着機器取付け腕木類に橋渡すようにボルトを用いて装着されたブレーキペダル後退防止ブラケット、ニープロテクター取付けブラケット、音響機器取付けブラケット或いは前記装着機器取付け腕木類の補強用ブラケットなどからなるブラケット類を有して構成したステアリングハンガー装置において、前記ブラケット類の両側端部に夫々前記一対の装着機器取付け腕木類に前記ボルトを取付けるための取付け孔を設けると共に、前記ブラケット類の両側端部のうち一方の側端部に切欠き部を形成し、該切欠き部に相対するように前記一対の取付け腕木類のうち一方の取付け腕木類にナット或いはボルトなどからなる突起部を植設して、該突起部を前記切欠き部に挿入することにより前記ブラケット類の誤組防止構造を構成したことを特徴とするステアリングハンガー装置。
【発明の詳細な説明】
【技術分野】
【０００１】
この発明は、自動車の操舵制御を司るべく構成したステアリング機構を支承するステアリングハンガー装置（「ステアリングメンバー装置」とも称されている。）に関する。
【背景技術】
【０００２】
従来の自動車におけるステアリングハンガー装置は、例えば図４に示すように、ステアリングハンガー本体ａがその車幅方向両外側端にそれぞれ取付けられた一対のサイドブラケットｂ、ｂを介して車幅方向に延在するように不図示の車体に配設されており、且つ、ステアリングハンガー本体ａにおける両サイドブラケットｂ、ｂを挟む中間部に、ステアリングコラム（不図示）を取付けるためのステアリングコラムブラケットｃ及びポストブラケットｄ、インストルメントパネル（不図示）を車体に取付けるためのインストステイブラケットｅ、ｆ、空調装置（不図示）を取付けるための空調装置取付けブラケットｇ、ｇ、自動車の自動運転装置或いは自動停止装置としての電子機器を取付けるための電子機器取付けブラケットｈ、更には、エアバッグ装置（不図示）を取付けるためのエアバッグ装置取付けブラケットｉ等のから成る装着部品取付け腕木類を装着して構成している（特許文献１などを参照）。
【０００３】
加えて、従来のステアリングハンガー装置は、前記装着部品取付け腕木類のうち、ステアリングハンガー本体ａに対して突き出るように互いに離間対向するように取付けられた一対の装着部品取付け腕木類、例えばステアリングコラムブラケットｃに近いところに存する一方のサイドブラケットｂ及びインストステイブラケットｆに橋渡すようにボルトｍ、ｎを用いて装着されたブラケット類、例えばブレーキペダル後退防止ブラケットｏを有して構成している（関連する技術として、特許文献２参照）。なお、かかるブラケット類としては、ブレーキペダル後退防止ブラケットｏの他に、例えば、ニープロテクター取付けブラケット、装着機器取付け腕木類の補強用ブラケット、或いは、音響機器取付け部ブラケット（何れも図示せず）があり、いずれもボルトを用いて装着機器取付け腕木類に取付けるようにしている。
【０００４】
そして、上記従来のステアリングハンガー装置は、まず、部品メーカーなどにより、ステアリングハンガー本体ａに、サイドブラケットｂ、ｂやステアリングコラムブラケットｃなどの装着部品取付け腕木類を溶接によって装着して構成することによりサブアセンブリーした状態で、シャシーメーカーの車体組立ラインに投入され、かかるサブアッセンブリー状態において車体に装着するようにしている。これに対して、ブレーキパダル後退防止ブラケットｏなどのブラケット類は、車体組立ライン内において、装着部品取付け腕木類に後付するようになっている。
【０００５】
このようにブレーキペダル後退防止ブラケットｏなどのブラケット類は、かかるステアリングハンガー装置の周囲に車体組立ラインにおいて種々の取付け部品が装着されるなどから、かかる組立作業の邪魔にならないように、車体組立ライン内においてボルトｍ、ｎを用いて、後付するようにしているのである。
【０００６】
かかることから、ブレーキペダル後退防止ブラケットｏなどのブラケット類は、装着部品取付け腕木類が溶接ロボットを使って装着されるものであるのとは異なって、組立ロボットなどを使用できず、人手により装着部品取付け腕木類に取付けるようにしている。
【０００７】
このように、ブレーキペダル後退防止ブラケットｏなどのブラケット類は、シャシーメーカーの車体組立ラインにおいて、人手により装着されることから、どうしても裏返し状態或いは左右勝手違い状態など誤組セット状態で装着されてしまうことがある。
【０００８】
そこで、かかる誤組セットでの装着を防止するためのヒントとなる技術が、例えば特許文献３に開示されている。
【０００９】
かかる特許文献３に開示された技術は、ブラケット本体の部品点数を増やすことなく、簡便な構成でもブラケット本体の固定時の周り止めとナットの誤着防止を行えるブラケット構造に係るもので、特許文献３に記載された符号とともに記載すると、本体側（２）が、上方へ突起された第２ボルト（２ｃ）を備え、ブラケット本体（１）が、第２ボルト（２ｃ）に近接した締結部（５）の一部を上方に屈折して形成され、且つ、ナット（３）の装着時にナット（３）の誤着防止を行う爪部（１１）（誤着防止部に相当）と、ナット（３）の締結時に第２ボルト（２ｃ）に当接してブラケット本体（１）の周り止めを行う第１突片部（９）（周り止め部に相当）を備えて一体的に形成されるように構成したものである。
【００１０】
かかる特許文献３に開示されたブラケット構造の技術を図４に示すステアリングハンガー装置に適用した場合、例えば、図５に示すような湊合技術として構成できる。
【００１１】
すなわち、かかるステアリングハンガー装置は、図５において、ステアリングハンガー本体ａに互いに離間対向するように取付けられたサイドブラケットｂ及びインストステイブラケットｆに橋渡すようにボルトｍ、ｎを用いて、ブラケット類であるブレーキペダル後退防止ブラケットｏを装着する場合、ブレーキペダル後退防止ブラケットｏの一端側に、サイドブラケットｂの側壁に沿うように突出する誤組防止用爪部ｐを折曲形成して構成することになる。
【先行技術文献】
【特許文献】
【００１２】
【特許文献１】特開２０１０−２０８４９３号公報
【特許文献２】特開２００４−９８８６８号公報
【特許文献３】特開２００６−３１６８９７号公報
【発明の開示】
【発明が解決しようとする課題】
【００１３】
しかしながら、かかる図５に示すような湊合技術によると、ブレーキペダル後退防止ブラケットｏの一端側に誤組防止用爪部ｐを折曲形成するためには、当該誤組防止用爪部ｐにおけるブレーキペダル後退防止ブラケットｏからの折り曲げ部分から延在する直線部分が、ブレーキペダル後退防止ブラケットｏの板厚の略３倍の寸法を擁する折り曲げ代を確保する必要があり、もし当該折り曲げ代が不十分な場合には、所定の誤組防止用爪部ｐを形成することができないことになる。
【００１４】
かかる結果、ブレーキペダル後退防止ブラケットｏに折曲形成する誤組防止用爪部ｐは、大きくならざるを得ないことになり、その結果、ステアリングハンガー装置の周囲に突出する突起物として存在することなってしまい、ステアリングハンガー本体ａ周りに設置される種々の装着部品・機器の邪魔になってしまい、レイアウト設計管理上課題を残すことにもなりかねない。
【００１５】
また、誤組防止用爪部ｐは、ブレーキペダル後退防止ブラケットｏを裏返しにしたり左右勝手違い状態にした場合には誤組防止機能を果たし得ず、サイドブラケットｂ及びインストステイブラケットｆに取付けることも可能であり、誤組防止機能を完全に達成することができないまま車室内へ突出してしまうことになる。
【００１６】
加えて、誤組防止用爪部ｐは、ブレーキペダル後退防止ブラケットｏがプレス成形により製作されることから、自動車の設計後期などにおいては、プレス金型の作り直しなどを要することになって容易に織り込むことは難しい。
【００１７】
そこで、この発明は、かかる従来の技術的課題に鑑み、ブレーキペダル後退防止ブラケットなどのブラケット類が確実に誤組防止機能を有して装着機器取付け腕木類に装着することができ、しかも、かかる誤組防止構造を施したとしても、ステアリングハンガー本体周りに設置される種々の装着部品・機器の邪魔にならないようにすると共に自動車の設計後期などにおいて簡単な設計変更などにより簡単に採用可能とし、その上ステアリングハンガー本体周りにおいて突起物として邪魔にならないように構成すべくなしたステアリングハンガー装置を提供することを目的としている。
【課題を解決するための手段】
【００１８】
この発明に係るステアリングハンガー装置は、ステアリングハンガー本体の車幅方向両外側端にそれぞれ取付けられて前記ステアリングハンガー本体を車幅方向に延在するように車体に配設する一対のサイドブラケット、前記ステアリングハンガー本体における前記両サイドブラケットを挟む中間部において設置するステアリングコラムブラケット、ポストブラケット、或いはインストルメントステイなどが構成する装着機器取付け腕木類を有し、且つ、該装着機器取付け腕木類のうち、前記ステアリングハンガー本体に互いに離間対向するように取付けられた一対の装着機器取付け腕木類に橋渡すようにボルトを用いて装着されたブレーキペダル後退防止ブラケット、ニープロテクター取付けブラケット、音響機器取付けブラケット或いは前記装着機器取付け腕木類の補強用ブラケットなどからなるブラケット類を有して構成したステアリングハンガー装置において、前記ブラケット類の両側端部に夫々前記一対の装着機器取付け腕木類に前記ボルトを取付けるための取付け孔を設けると共に、前記ブラケット類の両側端部のうち一方の側端部に切欠き部を形成し、該切欠き部に相対するように前記一対の取付け腕木類のうち一方の取付け腕木類にナット或いはボルトなどからなる突起部を植設して、該突起部を前記切欠き部に挿入することにより前記ブラケット類の誤組防止構造を構成したことを特徴とするものである。
【発明の効果】
【００１９】
かかる構成を有するこの発明は、ブレーキペダル後退防止ブラケット、ニープロテクター取付けブラケット、音響機器取付けブラケット或いは前記装着機器取付け腕木類の補強用ブラケットなどからなるブラケット類における一対の装着機器取付け腕木類に橋渡し装着する場合に、ブラケット類を裏表逆方向或いは左右勝手違い状態で、装着機器取付け腕木類にセットした場合には、装着機器取付け腕木類側に植設したナット或いはボルトなどの突起部がブラケット類に当接することになって、作業者は事前に誤組状態を見抜くことができる。
【００２０】
また、かかる構成を有するこの発明は、ブラケット類の両側端部のうち一方の側端部に形成した切欠き部を、装着機器取付け腕木類に植設したナットやボルトなどからなる突起部に挿入することによりブラケット類の誤組防止構造を構成したことから、当該突起部が切欠き部内に内在して突起物とはならないことから、従来技術における誤組防止用爪部のような突起物によるステアリングハンガー本体周りの装着部品・機器の邪魔になるようなことはなく、自動車の設計後期などにおいてプレス金型などを変更するまでもなく簡単な設計変更により採用することができることになり、自動車の開発・設計管理上好適であるといえる。
【図面の簡単な説明】
【００２１】
【図１】この発明の実施例１に係るステアリングハンガー装置を概略的に描画した斜視図である。
【図２】図１に示すステアリングハンガー装置の要部を拡大して描画した一部分解斜視図である。
【図３】この発明の実施例２に係るステアリングハンガー装置を概略的に描画した斜視図である。
【図４】従来技術に係るステアリングハンガー装置を概略的に描画した斜視図である。
【図５】図４におけるブレーキペダル後退防止ブラケットの誤組防止構造を備えた場合のステアリングハンガー装置の要部を拡大して描画した斜視図である。
【発明を実施するための形態】
【００２２】
この発明の実施例に係るステアリングハンガー装置は、ブレーキペダル後退防止ブラケットなどのブラケット類が確実に誤組防止機能を有して装着機器取付け腕木類に装着することができ、しかも、かかる誤組防止構造を施したとしても、ステアリングハンガー本体周りに設置される種々の装着部品・機器の邪魔にならないようにすると共に自動車の設計後期などにおいて簡単な設計変更などにより簡単に採用可能とし、その上ステアリングハンガー本体周りにおいて突起物として邪魔にならないように構成すべくなしたものである。
【００２３】
次に、図１及び図２を用いて、この発明を採用した実施例１に係るステアリングハンガー装置について説明する。
【００２４】
先ず図１において、この発明の実施例１に係るステアリングハンガー装置は、ステアリングハンガー本体１がその車幅方向両外側端にそれぞれ取付けられた一対のサイドブラケット２、３を介して車幅方向に延在するように不図示の車体に配設されている。
【００２５】
ステアリングハンガー本体１は、両サイドブラケット２、３を挟む中間部において、ステアリングコラム（不図示）を取付けるためのステアリングコラムブラケット４及びポストブラケット５、インストルメントパネル（不図示）を車体に取付けるためのインストステイブラケット、空調装置（不図示）を取付けるための空調装置取付けブラケット８、８、自動車の自動運転装置或いは自動停止装置などの電子機器を取付けるための電子機器取付けブラケット９、更には、エアバッグ装置（不図示）を取付けるためのエアバッグ取付けブラケット１０等からなる装着部品取付け腕木類を装着して構成している。
【００２６】
加えて、ステアリングハンガー装置は、装着部品取付け腕木類のうち、ステアリングハンガー本体１に対して突き出るように互いに離間対向するように取付けられた一対の装着部品取付け腕木類、例えば、ステアリングコラムブラケット４に近いところに存する一方のサイドブラケット２とインストステイブラケット６とに橋渡すように、ブラケット類例えばブレーキペダル後退防止ブラケット１１を有して構成している。
【００２７】
なお、かかるブラケット類は、ブレーキペダル後退防止ブラケット１１の他に、一対の装着部品取付け腕木類間に取付けるべくなしたニープロテクター取付けブラケット、装着機器取付け腕木の補強用ブラケット、或いは音響機器取付けブラケット（いずれの不図示）などで構成されているものである。
【００２８】
そして、かかるブラケット類の一つを構成するブレーキペダル後退防止ブラケット１１は、図２に明確に示すように、一方のサイドブラケット２に車幅方向に延在するように一体に突設したブラケット取付け片部２ａと一方のインストステイブラケット６の先端部６ａとの間を橋渡すように、ボルト１２、１３によって装着されている。このために、ブレーキペダル後退防止ブラケット１１の両端部には、それぞれボルト１２、１３を挿通させる取付け孔１４、１５が形成されている。
【００２９】
したがって、ブレーキペダル後退防止ブラケット１１は、ボルト１２、１３を取付け孔１４、１５に挿通させた後それぞれ一方のサイドブラケット２と一方のインストステイブラケット６に螺合装着されていることになる。
【００３０】
更に、ブレーキペダル後退防止ブラケット１１は、その両側端部のうち一方の側端部（この実施例１においては、サイドブラケット２のブラケット取付け片部２ａに対向する側端部）の図中上部側に切欠き１６を形成して構成している。
【００３１】
また、この切欠き部１６に相対するように、サイドブラケット２のブラケット取付け片部２ａには、ナット或いはボルトなどで構成する突起部１７が溶接などにより植設されている。
【００３２】
かかる構成により、ブレーキペダル後退防止ブラケット１１がサイドブラケット２のブラケット取付け片部２ａに装着した状態において、突起部１７は、切欠き部１６内に挿入された状態において内在することになる。
【００３３】
したがって、かかる切欠き部１６及び突起部１７の存在により、もしもブレーキペダル後退防止ブラケット１１が、図示状態とは異なって表裏逆方向（図２の一点鎖線示Ａ参照）或いは左右勝手違い状態（図２の一点鎖線示Ｂ参照）で、サイドブラケット２のブラケット取付け片部２ａ及びインストステイブラケット６にセットされボルト１２、１３によって螺着された場合には、突起部１７が、ブラケット取付け片部２ａ或いはインストステイブラケット６に当接してしまうことになって、作業者において誤組状態であることを簡単に見抜けることができるから、切欠き部１６及び突起部１７によって、ブレーキペダル後退防止ブラケット１１の誤組防止構造が構成されていることになる。
【００３４】
このように構成するこの発明に係る実施例１においては、ブレーキペダル後退防止ブラケット１１をブラケット取付け片部２ａ或いはインストステイブラケット６に橋渡し装着する場合に、ブレーキペダル後退防止ブラケット１１を裏表逆方向或いは左右勝手違い状態で、ブラケット取付け片部２ａ或いはインストステイブラケット６にセットした場合には、サイドブラケット２に植設されたナット或いはボルトなどの突起部１７がブレーキペダル後退防止ブラケット１１に当接することになって、作業者は誤組状態を事前に見抜くことができる。
【００３５】
加えて、上記のように構成するこの発明にかかる実施例１においては、ブレーキペダル後退防止ブラケット１１の両側端部のうち一方の側端部に形成した切欠き部１６を、サイドブラケット３に植設したナットやボルトなどからなる突起部１７に挿入することによりブレーキペダル後退防止ブラケット１１の誤組防止構造として構成したことから、突起部１７が切欠き部１６内に内在して突起物とはならないことになって、従来技術における誤組防止用爪部ｐのような突起物によるステアリングハンガー本体１周りの装着部品・機器の邪魔になるようなことはなく、自動車の設計後期などにおいてプレス金型などを変更するまでもなく簡単な設計変更により採用することができることになり、自動車の開発・設計管理上好適であるといえる。
【００３６】
上記実施例１においては、この発明の実施例として、ブレーキペダル後退防止ペダル１１の誤組防止構造として適用したが、これに限定されるものではなく、この発明に係る他の実施例として、インストステイブラケット６、７間などにおいて橋渡し装着される、ニープロテクター取付けブラケット、音響機器取付けブラケット或いは前記装着機器取付け腕木類の補強用ブラケットなどからなるブラケット類に適用することができる。
【００３７】
図３は、この発明における誤組防止構造をブラケット類の一つである装着機器取付け腕木類の補強用ブラケット１８に適用した実施例１の変形例としての実施例２を記載している。
【００３８】
すなわち、補強用ブラケット１８は、ステアリングハンガー本体１に互いに離間対向するように取付けられた装着機器取付け腕木を構成する両インストステイブラケット６、７に、ボルト１２ａ、１３ａを用いて、橋渡し装着されている。
【００３９】
そして、補強用ブラケット１８は、その両側端部のうち一方の側端部（この実施例２においては、インストステイブラケット６に対向する側端部）の図中上部側に切欠き１６ａを形成して構成されている。
【００４０】
また、この切欠き部１６に相対するように、インストステイ６には、ナット或いはボルトなどで構成する突起部１７ａが溶接などにより植設されている。
【００４１】
図３に示す実施例２のその他の構成は、上記実施例１と同様な構成を有していることから、詳細構成について説明が重複することから割愛する。
【００４２】
かかる構成により、ブレーキペダル後退防止ブラケット１１がインストステイ６に装着した状態において、突起部１７ａは、切欠き部１６ａ内に挿入された状態において存することになる。
【００４３】
したがって、かかる切欠き部１６ａ及び突起部１７ａの存在により、もしも補強用ブラケット１８が、図示状態とは異なって表裏逆方向或いは左右勝手違い状態で、両インストステイブラケット６、７にセットされボルト１２、１３によって螺合挿着された場合には、突起部１７ａが、両インストステイブラケット６、７に当接してしまうことになって、作業者において誤組状態であることを簡単に見抜けることができるから、切欠き部１６ａ及び突起部１７ａによって、補強用ブラケット１１の誤組防止構造が構成されていることになる。
【００４４】
このように構成するこの発明に係る実施例２においては、補強用ブラケット１８を両インストステイブラケット６、７に橋渡し装着する場合に、補強用ブラケット１８を裏表逆方向或いは左右勝手違い状態で、両インストステイブラケット６、７にセットした場合には、インストステイ６に植設されたナット或いはボルトなどの突起部１７ａが補強用ブラケット１８に当接することになって、作業者は誤組状態を事前に見抜くことができる。
【００４５】
加えて、上記のように構成するこの発明にかかる実施例１においては、補強用ブラケット１８の両側端部のうち一方の側端部に形成した切欠き部１６を、サイドブラケット３に植設したナットやボルトなどからなる突起部１７に挿入することにより補強用ブラケット１８の誤組防止構造として構成したことから、突起部１７ａが切欠き部１６ａ内に内在して突起物とはならないことになり、従来技術における誤組防止用爪部ｐのような突起物によるステアリングハンガー本体１周りの装着部品・機器の邪魔になるようなことはなく、自動車の設計後期などにおいてプレス金型などを変更するまでもなく簡単な設計変更により採用することができることになり、自動車の開発・設計管理上好適であるといえる。
【産業上の利用可能性】
【００４６】
以上説明したこの発明は、ブレーキペダル後退防止ブラケットなどのブラケット類が確実に誤組防止機能を有して装着機器取付け腕木類に装着することができ、しかも、かかる誤組防止構造を施したとしても、ステアリングハンガー本体周りに設置される種々の装着部品・機器の邪魔にならないようにすると共に自動車の設計後期などにおいて簡単な設計変更などにより簡単に採用可能とし、その上ステアリングハンガー本体周りに突起物として邪魔にならないように構成することができることから、自動車の操舵制御を司るべく構成したステアリング機構を支承するステアリングハンガー装置等に好適であるといえる。
【符号の説明】
【００４７】
１    ステアリングハンガー本体
２、３    サイドブラケット（装着機器取付け腕木類）
４    ステアリングコラムブラケット（装着機器取付け腕木類）
５    ポストブラケット（装着機器取付け腕木類）
６、７    インストステイブラケット  （装着機器取付け腕木類）
８    空調装置取付けブラケット（装着機器取付け腕木類）
９    電子機器取付けブラケット（装着機器取付け腕木類）
１０    エアバッグ装置取付けブラケット（装着機器取付け腕木類）
１１    ブレーキペダル後退防止ブラケット（ブラケット類）
１２、１２ａ、１３、１３ａ  ボルト
１４、１５    取付け孔
１６、１６ａ    切欠き部
１７、１７ａ    突起部
１８    補強用ブラケット（ブラケット類）
【図１】
2016188012.tif 000003
【図２】
2016188012.tif 000004
【図３】
2016188012.tif 000005
【図４】
2016188012.tif 000006
【図５】
2016188012.tif 000007